(57)【特許請求の範囲】
【請求項１】
壁面に開口した取付穴の開口部若しくは壁面に埋設したスイッチボックスの開口部に取り
付けられて、規格化された単位モジュールの配線器具を複数連接することが可能な大きさ
に形成される取付枠に、前記単位モジュールの１個分の大きさに形成されて背面に送り配
線用端子、電源側端子、及び負荷側端子を備えた壁スイッチを構成するスイッチ器具とと
もに前記単位モジュールの複数個分の大きさに形成されて背面に一対の電源接続端子を備
えたインターホン本体を取り付け、前記取付枠は、前記インターホン本体で占有される取
付枠部と、当該取付枠部と並ぶように配設された前記スイッチ器具を取付けるための取付
枠部とに区別され、前記取付枠の前面に被着されるプレートの１つの開口窓より前記スイ
ッチ器具及び前記インターホン本体の前部をプレートの背方から前面に臨ませて露出させ
て、商用電源に接続される一対の電源線のうち負荷の一端に接続される極性側の電源線は
前記インターホン本体の前記一対の電源接続端子の一方に接続され、残りの電源線は前記
スイッチ器具の前記電源側端子に接続され、前記負荷の他端に接続される接続線は前記ス
イッチ器具の前記負荷側端子に接続され、前記スイッチ器具の前記送り配線用端子に接続
される送り用配線は前記インターホン本体の前記一対の電源接続端子の他方に接続されて
いることを特徴とするインターホン装置。
【請求項２】
前記スイッチ器具の上、下部位の空きスペースにインターホン本体の一部を延出させてい
ることを特徴とする請求項１記載のインターホン装置。
【請求項３】
前記スイッチ器具によって操作される負荷状態をインターホン本体に設けられたモニタ装
置やスピーカ等の出力手段で提示することを特徴とする請求項１又は２記載のインターホ
ン装置。
【請求項４】
前記スイッチ器具を電気信号で制御可能なスイッチで構成され、前記インターホン本体若
しくは前記インターホン本体に接続された通信系から前記スイッチ器具を制御する制御手
段を前記インターホン本体に具備していることを特徴とする請求項１乃至３の何れか記載
のインターホン装置。
【請求項５】
前記スイッチ器具が電子スイッチで構成され、該電子スイッチの動作内容を設定する設定
手段を、前記インターホン本体に具備したモニタ装置の画面を用いるＧＵＩにより行うこ
とを特徴とする請求項１乃至４の何れか記載のインターホン装置。
【請求項６】
前記スイッチ器具が電子スイッチで構成され、前記インターホン本体には外部からの異常
検知センサの検知信号により発報を行う警報手段と、該警報手段の発報に連動させて前記
電子スイッチの動作を制御する制御手段とを備えていることを特徴とする請求項１乃至５
の何れか記載のインターホン装置。
【請求項７】
前記スイッチ器具及びインターホン本体の動作をワイヤレスのリモコン送信機からのリモ
コン信号を受信することにより制御する共通のリモコン制御手段を前記スイッチ器具若し
くはインターホン本体の何れか一方に具備していることを特徴とする請求項１乃至６の何
れか記載のインターホン装置。
【発明の詳細な説明】
【技術分野】
【０００１】
本発明は、ドアホン等のインターホン装置に関するものである。
【背景技術】
【０００２】
従来、ドアホン親機のようなインターホン装置では、一般的にはインホーン本体が壁面に露出して取り付けられる構造であって、壁から商用電源の電源線、更にカメラ付き子機に接続される通信線が接続されている。ところで露出設置の場合、インターホン本体が目立ち、室内の雰囲気を損なう等の問題があり、そのためインターホン本体を薄型化して露出設置による問題を解消するものも提供されている。また露出型ではなく、壁面などに埋め込み設置するインターホン装置も提供されている（例えば特許文献１）。特許文献１に開示されている埋込型インターホンは、壁に埋め込み設置されるものであるものの、「ＪＩＳ  Ｃ８３８５」により規格化されている取付枠に準ずる取付枠を用いない独自構成により壁面に取り付ける構造のものである。またインターホンシステムには各部屋にモニタ付きの副親機を設置する多局タイプのものも提供されている。
【特許文献１】特開２００３−６９６８１号（段落番号００１５、００３５）
【発明の開示】
【発明が解決しようとする課題】
【０００３】
上述のように多局化によって各部屋に副親機を取り付ける場合、上述のような埋込型のインターホン装置の場合には、各部屋に設けられている壁スイッチ等のスイッチ器具とは別途取付穴を設けて設置する必要がある。そのため近接に設置する場合には壁強度の不足などの問題も生じ、そのためインターホン装置とスイッチ器具とは離して設置することになり、結果使用性が悪いという問題があった。
【０００４】
一方、使用性の向上や、省施工などのニーズから配線器具とインターホンとの設置場所の同一化や機能の融合化が希求されている。
【０００５】
本発明は、上述の点に鑑みて為されたもので、その目的とするところは、壁強度不足を
生じることなくスイッチ器具との設置場所の同一化が可能で、使用性の向上と、省施工化
が可能なインターホン装置を提供することにある。
【課題を解決するための手段】
【０００６】
上述の目的を達成するために、請求項１の発明では、壁面に開口した取付穴の開口部若
しくは壁面に埋設したスイッチボックスの開口部に取り付けられて、規格化された単位モ
ジュールの配線器具を複数連接することが可能な大きさに形成される取付枠に、前記単位
モジュールの１個分の大きさに形成されて背面に送り配線用端子、電源側端子、及び負荷
側端子を備えた壁スイッチを構成するスイッチ器具とともに前記単位モジュールの複数個
分の大きさに形成されて背面に一対の電源接続端子を備えたインターホン本体を取り付け
、前記取付枠は、前記インターホン本体で占有される取付枠部と、当該取付枠部と並ぶよ
うに配設された前記スイッチ器具を取付けるための取付枠部とに区別され、前記取付枠の
前面に被着されるプレートの１つの開口窓より前記スイッチ器具及び前記インターホン本
体の前部をプレートの背方から前面に臨ませて露出させて、商用電源に接続される一対の
電源線のうち負荷の一端に接続される極性側の電源線は前記インターホン本体の前記一対
の電源接続端子の一方に接続され、残りの電源線は前記スイッチ器具の前記電源側端子に
接続され、前記負荷の他端に接続される接続線は前記スイッチ器具の前記負荷側端子に接
続され、前記スイッチ器具の前記送り配線用端子に接続される送り用配線は前記インター
ホン本体の前記一対の電源接続端子の他方に接続されていることを特徴とする。
【０００７】
請求項１の発明によれば、スイッチ器具とともにインターホン本体を同じ取付穴やスイ
ッチボックスに同じ取付枠を用いて取り付けてけることができ、そのため取付穴の施工や
スイッチボックスの取付施工が一度で済む上に、取付穴やスイッチボックスの配線スペー
スを有効に使えて、商用電源の電源線の配線も容易となり、結果省施工化が図れ、しかも
別々の取付穴を近接して穿設する場合のように壁強度の不足を招くこともなく、その上埋
め込みのための取付穴やスイッチボックスの開口部のサイズを小さくすることが可能とな
って、スイッチ器具を含めた全体の大きさを小さくすることができ、更に同じプレートの
開口窓からからスイッチ器具の前面部とともにインターホン本体の前部を露出させるため
、スイッチ器具とインターホン本体との設置場所が同一化され、別個に設ける場合に比し
て使用性が向上し、また別々に設けた場合のような繁雑感を与えることがない。
【０００８】
請求項２の発明では、請求項１の発明において、前記スイッチ器具の上、下部位の空き
スペースにインターホン本体の一部を延出させていることを特徴とする。
【０００９】
請求項２の発明によれば、スイッチ器具の上、下部位の空きスペースを有効に使用して
インターホン本体の内部スペースを大きくすることができる。
【００１２】
請求項３の発明では、請求項１又は２の発明において、前記スイッチ器具によって操作
される負荷状態をインターホン本体に設けられたモニタ装置やスピーカ等の出力手段で提
示することを特徴とする。
【００１３】
請求項３の発明によれば、インターホン本体側でスイッチ器具のスイッチの状態を確認
することができる。
【００１４】
請求項４の発明では、請求項１乃至３の何れかの発明において、前記スイッチ器具を電
気信号で制御可能なスイッチで構成され、前記インターホン本体若しくは前記インターホ
ン本体に接続された通信系から前記スイッチ器具を制御する制御手段を前記インターホン
本体に具備していることを特徴とする。
【００１５】
請求項４の発明によれば、インターホン本体やインターホン本体に接続された通信系か
ら電気信号により操作することができ、移動して操作する手間を省略したり、複数のスイ
ッチ器具を一括操作することができる。
【００１６】
請求項５の発明では、請求項１乃至４の何れかの発明において、前記スイッチ器具が電
子スイッチで構成され、該電子スイッチの動作内容を設定する設定手段を、前記インター
ホン本体に具備したモニタ装置の画面を用いるＧＵＩにより行うことを特徴とする。
【００１７】
請求項５の発明によれば、スイッチ器具のスイッチの動作を多機能化することができる
。
【００１８】
請求項６の発明では、請求項１乃至５の何れかの発明において、前記スイッチ器具が電
子スイッチで構成され、前記インターホン本体には外部からの異常検知センサの検知信号
により発報を行う警報手段と、該警報手段の発報に連動させて前記電子スイッチの動作を
制御する制御手段とを備えていることを特徴とする。
【００１９】
請求項６の発明によれば、インターホン系に備えられる警報手段の発報に連動してスイ
ッチ器具に対応した負荷を制御することができる。
【００２０】
請求項７の発明では、請求項１乃至６の何れかの発明において、前記スイッチ器具及び
インターホン本体の動作をワイヤレスのリモコン送信機からのリモコン信号を受信するこ
とにより制御する共通のリモコン制御手段を前記スイッチ器具若しくはインターホン本体
の何れか一方に具備していることを特徴とする。
【００２１】
請求項７の発明によれば、一つのリモコン送信機でスイッチ器具のスイッチ操作と、イ
ンターホン本体の動作を遠隔制御することができる。
【発明の効果】
【００２２】
本発明は、スイッチ器具とともにインターホン本体を同じ取付穴やスイッチボックスに
同じ取付枠を用いて取り付けてけることができ、そのため取付穴の施工やスイッチボック
スの取付施工が一度で済む上に、取付穴やスイッチボックスの配線スペースを有効に使え
て、商用電源の電源線の配線も容易となり、結果省施工化が図れ、しかも別々の取付穴を
近接して穿設する場合のように壁強度の不足を招くこともなく、その上埋め込みのための
取付穴やスイッチボックスの開口部のサイズを小さくすることが可能となって、スイッチ
器具を含めた全体の大きさを小さくすることができ、更に同じプレートの開口窓からから
スイッチ器具の前面部とともにインターホン本体の前部を露出させるため、スイッチ器具
とインターホン本体との設置場所が同一化され、別個に設ける場合に比して使用性が向上
し、また別々に設けた場合のような繁雑感を与えることがないという効果がある。
【発明を実施するための最良の形態】
【００２３】
以下本発明を実施形態により説明する。
（実施形態１）
本実施形態のインターホン装置を図１〜図７に基づいて詳説する。
【００２４】
本実形態のインターホン装置は、後述するインターホンシステムの親機Ａに相当するもので、合成樹脂製の箱状のインターホン本体１内に回路を組み込んである。このインターホン本体１は、「ＪＩＳ  Ｃ８３８５」により規格化されている単位（１個）モジュールの配線器具を３個取り付けることができる取付枠（１連用）を左右方向に３個連接した大きさ（３連用）に対応した寸法に形成されるとともに、４連用の大きさの取付枠に対応する合成樹脂製の取付枠４を一体的に備えている。取付枠４は３連の大きさのインターホン本体１で占有される取付枠部４ａと、スイッチ器具Ｓを取付けるための１連用の大きさに対応する取付枠部４ｂとに区分されており、１連用の取付枠部４ｂに設けた開口部の中央部に１個モジュールの大きさに形成されたスイッチ器具Ｓの器体５を取り付けることで、インターホン本体１にスイッチ手段たるスイッチ器具Ｓを並設したインターホン装置を構成し、スイッチ器具Ｓとともにインターホン本体１を取付枠４により壁面Ｗに設けた取付穴２内の４連用のスイッチボックス６（図２参照）に取り付けることができるようになっている。
【００２５】
スイッチ器具Ｓは設置した部屋の照明器具の操作を行うための壁スイッチを構成するスイッチ手段であって、例えば、単極単投型の押釦スイッチＳＷ０の機構を１個モジュールの大きさに形成された器体５に内蔵し、器体５の表面に露出させた駆動釦３を器体５の片側に設けた軸部７に大形のピアノキー式操作ハンドル８（図３参照）の片側裏面の軸受部（図示せず）を回動自在に枢支するようになっている。この操作ハンドル８は軸部７に枢支させた状態で取付枠部４ｂの上下枠片の取付孔９，９までの部位及び側方の枠片を被蔽する大きさに形成されている。
【００２６】
尚器体５の長手方向の両側には一般の埋め込み配線器具と同様に取付枠への取り付けのための係止爪（図示せず）を夫々一対ずつ備えており、取付枠部４ｂに取り付けるに当たっては、取付枠部４ｂの開口部の中央に後方から前部を嵌め込み、開口部の片側に位置するインターホン本体１の側面に形成した係止孔（図示せず）に一方側の係止爪を係止した状態で、片側側片の弾性を利用して取付枠部４ｂの片側側片に設けた一対の係止孔４ｃに他方側の係止爪を係止させることで、一般的な埋め込み配線器具と同様に取付枠部４ｂに着脱自在に取り付けることができるようになっている。
【００２７】
一方親機Ａのインターホン本体１は前面に、ＬＣＤからなるモニタ装置１０、通話のためのスピーカ用の音出孔１１、操作ハンドル１２〜１４，マイク用小孔１５、音量調整用摘み１６、モニタ装置１０の明るさ調整用摘み１７などを設けてある。
【００２８】
而してインターホン装置の親機Ａのインターホン本体１及びスイッチ器具Ｓを取付枠４によってスイッチボックス６に取り付けるに当たり、スイッチボックス６内に予め導入されている信号線Ｌ１、電源線Ｌ２、Ｌ３、照明負荷ＬＡの接続線Ｌ４を図７に示すようにスイッチ器具Ｓ及び親機Ａに接続する。
【００２９】
つまりスイッチボックス６内に予め引き込んである後述するドアホン子機Ｂや副親機などからのツイストペア線からなる信号線Ｌ１を複数対、親機Ａのインターホン本体１の背面に設けてある信号線端子部１８に接続する。
【００３０】
またスイッチボックス６内に引き込んである商用電源ＡＣの電源線Ｌ２、Ｌ３の内、図示するように照明負荷ＬＡの一端に接続している極性側の電源線Ｌ２をインターホン本体１の背面に設けた一対の電源接続端子１９ａ、１９ｂの一方１９ａに接続し、残りの電源線Ｌ３をスイッチ器具Ｓの器体５の背面に設けた電源側端子２０ａに接続する。また器体５の背面に設けた負荷側端子２０ｂに照明負荷ＬＡからの接続線Ｌ４を接続し、送り配線用端子２０ｃに送り用配線Ｌ５を介してインターホン本体１側の電源接続端子１９ｂを接続する。
【００３１】
この接続後、図１に示すようにインターホン本体１及び器体５の背部を壁面Ｗの取付穴２に入れ、取付枠４の上下枠片の背面を図２に示すスイッチボックス６の上側及び下側の内壁に沿って底部側から開口部側へ夫々延設した各器具固定突起２１の前面部に当接し、各器具固定突起２１に設けたねじ孔２２を取付枠４の上下枠片に設けた取付孔９に臨ます。ここで、各器具固定突起２１はスイッチボックス６の上下内面において左右方向に夫々４個等間隔で設けられて１連の取付枠を４個取り付けることができるようになっている。一方本実施形態で用いる４連の取付枠４は、取付枠部４ａの上下枠片には向かって右から１連目と、３連目の器具固定突起２１に対応する２個の取付孔９，９を、また取付枠部４ｂに４連目の器具固定突起２１に対応する取付孔９を夫々設けており、上述のように取付枠４の上下枠片の裏面を各器具固定突起２１の前面に当接したときに、対応する取付孔９…が器具固定突起２１のねじ孔２２に臨むことになる。取付孔９は、取付枠部４ａではインターホン本体１の前面上下部に形成した切欠２４を介して前面側に露出しいる。そして前面側から取付ねじ（図示せず）を各取付孔９に挿通して対応するねじ孔２２に螺入締結することで、取付枠４はスイッチボックス６に固定される。
【００３２】
この固定後、インターホン本体１の前面上下部に左右長手方向に設けてある凹平面２３に化粧板２５を図３に示すように被着して切欠２４を塞ぎ、取付孔９を見えなくする。化粧板２５は背面に設けた係止爪（図示せず）を図１に示すように凹平面２３に開口した係止孔２６に係入し凹平面２３上に取り付けるようになっている。
【００３３】
一方スイッチ器具Ｓでは、器体５の前面部の軸部７を操作ハンドル８の軸受部（図示せず）に回動自在に嵌めて枢支させる。
【００３４】
この後取付枠４の前面より前方に突出している操作ハンドル８及び、化粧板２５を含むインターホン本体１の前部を化粧プレート２７の開口窓２７０に嵌めるようにして４連用の化粧プレート２７を取付枠４の上下左右の枠片前面に取り付ける（図４、図５参照）。
【００３５】
ここで化粧プレート２７は図６に示すように枠状のプレート枠２７ａとこのプレート枠２７ａの前面に重ねる化粧カバー２７ｂとで構成され、取り付けに当たっては、まずプレート枠２７ａの開口２７０ａに操作ハンドル８及びインターホン本体１の前部を嵌め込んで、プレート枠２７ａの背面を取付枠４の枠片前面に当接した後、取付枠４の上下枠片に設けたプレート用ねじ孔２９に固定ねじ２８を螺入締結してプレート枠２７ａを固定する。この固定後、次に化粧カバー２７ｂの開口２７０ｂにプレート枠２７ａの開口２７０ａより前方へ突出した操作ハンドル８及びインターホン本体１の前部を嵌め込んで開口２７０ｂより操作ハンドル８の前面及びインターホン本体１の前面を露出させるとともに化粧カバー２７ｂの背面に設けた係止爪（図示せず）をプレート枠２７ａに設けた係止孔（図示せず）に係止してプレート枠２７ａに化粧カバー２７ｂを固定する。これにより壁面Ｗの開口している取付穴２は、開口２７０ａ、２７０ｂからなる開口窓２７０に嵌め込まれた操作ハンドル８，インターホン本体１の前部及び化粧プレート２７で図４に示すように塞がれることになる。
【００３６】
かようにして本実施形態のインターホン装置の親機Ａはスイッチ器具Ｓとともに同じ取付穴２やスイッチボックス６に同じ取付枠４を用いて取り付けることができ、そのため取付穴２の施工やスイッチボックス６の取付施工が一度で済む上に、取付穴２やスイッチボックス６の配線スペースを有効に使えて、商用電源ＡＣの電源線Ｌ２，Ｌ３の配線も容易となり、結果省施工化が図れ、しかも別々の取付穴を近接して穿設する場合のように壁強度の不足を招くこともなく、その上同じ化粧プレート２７の開口窓２７０からからスイッチ器具Ｓの操作ハンドル８とともにインターホン本体１の前部を露出させるためスイッチ器具Ｓと親機Ａの設置場所が同一化され、別個に設ける場合に比して使用性が向上し、また別々に設けた場合のような繁雑感を与えることがなくなるのである。
【００３７】
次に本実施形態のインターホン装置の親機Ａを用いるインターホンシステムについて図８，図９により簡単に説明する。
【００３８】
図８はシステム構成を、図９は親機Ａの回路構成を示しており、インターホンシステムは玄関などに設けられるドアホン子機Ｂに対して親機Ａは２本の信号線Ｌ１で接続し、また必要に応じて設けられる副親機Ｃに対して同様に２本の信号線Ｌ１で接続することでシステムが構成され、親機Ａ内には信号線Ｌ１の回線電圧に基づいてドアホン子機Ｂからの呼び出しを検出する子機呼出検出回路３０，ドアホン子機Ｂからの再呼び出しを検出する子機再呼出検出回路３１、スイッチ器具Ｓからの送り配線Ｌ５及び電源線Ｌ２に接続され所定の直流電圧に変換して各回路へ電力供給を行う電源回路３２、ドアホン子機Ｂに信号線Ｌ１を通じて電力供給を行う子機給電回路３３、更にスピーカＳＰへの信号を増幅する増幅器３４，マイクＭＩＣからの入力信号を増幅する増幅器３５、マイクＭＩＣで集音された送話信号とドアホン子機Ｂからの受話信号とを比較し、信号レベルが高い方からの信号を通過させることにより送話状態と受話状態とを切り換える半二重の通話を実現する通話切換回路３６と、ドアホン子機Ｂからの映像信号を復調する復調回路３７と、復調された映像信号によりモニタ装置１０に画像（映像）を表示させる表示制御回路３８と、映像信号を記録する録画回路３９と、操作ハンドル１２により操作される「お引き取り」用スイッチＳＷ１、操作ハンドル１３により操作される内線通話用スイッチＳＷ２、更に操作ハンドル１４により操作される通話用スイッチＳＷ３、音量調整用摘み１６により操作される音量調整用スイッチＳＷ４、明るさ調整用摘み１７により操作される明るさ調整用スイッチＳＷ５からの操作信号を取り込む操作回路４０と、操作回路４０が取り込んだ操作信号に対応する操作情報を取り込んだり、表示制御回路３８を制御したり、録画回路３９を制御する等親機Ａでの信号処理と制御処理とを担うマイクロコンピュータ（マイコン）４１とで構成される。
【００３９】
而して来訪者によりドアホン子機Ｂから呼び出しがあると、親機Ａでは子機呼出検出回路３０がドアホン子機Ｂからの呼出信号を検出し、マイコン４１はこの検出に対応して通話切換回路３６を通じて呼出音をスピーカＳＰから発鳴させるとともに、ドアホン子機Ｂの撮像カメラで撮像された映像信号を復調回路３７で復調し、表示制御回路３８を通じてモニタ装置１０に表示する。これを見た住人が通話用の操作ハンドル１４を押し操作すると、操作回路４０を通じて操作信号を取り込んだマイコン４１は、通話切換回路３６を通じて通話路を確立して親機Ａとドアホン子機Ｂとの間の通話を可能とする。そして操作ハンドル１４が再度押し操作されると、マイコン４１は、ドアホン子機Ｂとの通話路を開放して通話を終了する。尚ドアホン子機Ｂとの通話を早急に終了したい場合などにおいて、住人が通話中にお引き取り用の操作ハンドル１２を押し操作すると、この操作信号を受け取ったマイコン４１は、ドアホン子機Ｂへ所定の音を発生させる信号を送るとともに、通話路を開放する処理を行う。
【００４０】
また内線通話用の操作ハンドル１３が押し操作されると、この操作信号を受け取ったマイコン４１は、信号線Ｌ１を通じて接続されている副親機Ｃへ呼出信号を送信して呼び出し、その後親機Ａと副親機Ｃとの間で通話路を確立し、副親機Ｃとの間での内線通話を可能とする。
【００４１】
尚副親機Ｃは子機給電回路３３を除く親機Ａの回路構成と同じ構成の本体を備え、副親機Ｃを設置する部屋の照明負荷ＬＡをオンオフするスイッチ器具Ｓを本体とともに同じ取付枠４を用いて設置する部屋のスイッチボックスに取り付けるものとし、ドアホン子機Ｂからの呼び出しについては、親機Ａと同様に呼び出しに呼応することができ、また親機Ａ側を呼び出して内線通話を可能とする機能を持つ。
（実施形態２）  
上述の実施形態１では、スイッチ器具Ｓの器体５を取付枠部４ｂの開口部の中央に取り付ける構成であるため、このスイッチ器具Ｓの上下部位は、無駄な空きスペースとなっている。そこで本実施形態では、図１０に示すようにインターホン本体１の上下の側部を取付部枠４ｂ方向に延長し、この上下の延長部５０，５０内を親機Ａとして必要な回路部の配置スペースとして使用するようにしたものである。そして延長部５０，５０間の開口部をスイッチ器具Ｓの器体５の取り付けスペースとして使用するのである。尚延長部５０の前面の位置は、操作ハンドル８（図４参照）をスイッチ器具Ｓに取り付けた場合に操作ハンドル８の操作に支障がないように器体５の前面とほぼ同一としている。またスイッチ器具Ｓの器体５の被係止爪に対応する係止孔４ｃ（図１参照）は実施形態１と同様に取付スペースに臨む取付枠部４ｂの片側枠片及びインターホン本体１の側面に設けてある。また操作ハンドル８の取り付けについても実施形態１と同じである。また回路構成も実施形態１と同じであるの説明は省略する。
【００４２】
尚上述の構成では上、下に延長部５０を夫々設けていたが、上、下の何れか一方のみに延長部５０を設けても良い。また本実施形態に対応する副親機Ｃは子機給電回路３３を除く親機Ａの回路構成と同じ構成の本体を備え、本体構造も親機Ａに合わせた構造のものを用いるものとする。
【００４３】
而して本実施形態では単にスイッチ器具をインターホン本体と組み合わせたものに比べ
て、より小さくすることができる。
（参考例１）
上記実施形態１，２では、スイッチ手段であるスイッチ器具Ｓとインターホン本体１と
を別体としているが、本参考例は図１１に示すようにインターホン本体１の片側内部に押
釦スイッチＳＷ０の機構を組み込んで、モニタ装置１０の側方でモニタ装置１０の前面よ
りも後方に凹んだインターホン本体１の前面部５１に駆動釦３及び軸部７を露出させ、こ
の前面部５１に操作ハンドル８（図２参照）を配置できるようにしたものである。本参考
例では、押釦スイッチＳＷの機構を内蔵して内部配線することで、実施形態１のようなス
イッチ器具Ｓからの送り配線を行う必要がなくなり、図１２に示すように信号線端子部１
８以外に、商用電源ＡＣの一極を接続する電源側端子２０ａと、照明負荷ＬＡの一端を接
続する負荷側端子２０ｂと、商用電源ＡＣの他極と照明負荷ＬＡの他極とを接続する端子
２０ｃ’とを設けて、電源線Ｌ３、照明負荷ＬＡからの接続線Ｌ４及び共通線Ｌ２’を接
続すれば良いことになり、スイッチボックス６内の配線の繁雑さを無くすことができる。
尚インターホン本体１を４連用の取付枠４に対応させる大きさとせず、図１３に示すよう
に３連用の取付枠４’を備えたインターホン本体１の前面側側部より側方にスピーカＳＰ
の音出孔１１や、マイク用小穴１５，操作ハンドル１２〜１４及びモニタ装置１０の一部
を配置している肉薄の張り出し部位１ａを一体に形成し、３連用のスイッチボックスに取
付枠４’で取り付けたときに、スイッチボックスの側方の壁面側に張り出し部位１ａが重
なるようにしても良い。
【００４４】
尚本参考例に対応する副親機Ｃは子機給電回路３３を除く親機Ａの回路構成と同じ構成
の本体を備え、本体構造も親機Ａに合わせた構造のものを用いるものとする。
【００４５】
（参考例２）
上記実施形態１、２のスイッチ器具Ｓの押釦スイッチＳＷ０或いは参考例１のインター
ホン本体１に内蔵したの押釦スイッチＳＷ０はインターホン装置の親機Ａとは独立して照
明負荷ＬＡをオンオフするものであったが、本参考例は、参考例１のようにスイッチ内蔵
の特徴を生かして、図１４に示すように照明負荷ＬＡに流れる負荷電流を検出するＣＴ等
の電流検出素子４２を備え、この電流検出素子４２の検出信号をマイコン４１が取り込ん
で負荷状態、つまり押釦スイッチＳＷ０の操作状態を判定し、その判定結果をモニタ装置
１０で表示したり、スピーカＳＰを通じて音或いは合成音声で報知するようにするように
して照明負荷ＬＡの操作とインターホン装置の親機Ａを連携させるようにしたものである
。
【００４６】
尚親機Ａのその他の回路構成及び動作は実施形態１と同じであるので説明は省略する。
また構造は参考例１と同じであるので、ここでは図示せず、また説明も省略する。
【００４７】
尚本参考例に対応する副親機Ｃは子機給電回路３３を除く親機Ａの回路構成と同じ構成
の本体を備え、本体構造も親機Ａに合わせた構造のものを用いるものとする。
【００４８】
（参考例３）
上記参考例１の押釦スイッチＳＷ０には照明負荷ＬＡの電源を手動操作により機械的に
開閉する接点部を備えたスイッチを用いているが、図１５（ａ）に示すように操作ハンド
ル８で押し操作する押釦スイッチを例えばタクトスイッチ等の小型のスイッチＳＷ０１を
用い、このスイッチＳＷ０１の操作信号を親機Ａ側のマイコン４１で取り込み、その操作
信号に応じてトリガ回路４３からトリガ信号を出力させ、位相制御素子であるトライアッ
クのような半導体スイッチＳＷｘを駆動することで、照明負荷ＬＡの通電を制御するよう
にしても良い。つまり本参考例は、スイッチＳＷ０と半導体スイッチＳＷｘとでスイッチ
手段を構成する。勿論半導体スイッチＳＷｘの代わりにリレーを駆動して、そのリレー接
点で照明負荷ＬＡの通電を制御するようにしても良い。また本参考例では、マイコン４１
で直接スイッチＳＷ０１の操作信号を取り込んでスイッチ状態を判断し、参考例１と同様
に照明負荷ＬＡの通電状態、つまり半導体スイッチＳＷｘ（或いはリレー接点）の状態を
表示或いは報知する。
【００４９】
尚図１５（ａ）では親機Ａとしての回路構成は省略しているが、実施形態１と同じである。
【００５０】
ところで、本参考例のように位相制御素子からなる半導体スイッチＳＷｘを用いれば、
例えば照明負荷ＬＡが白熱電球のような場合、スイッチＳＷ０１の押し操作開始から押し
操作が終了するまでの操作時間に応じて導通位相角を制御して照明負荷ＬＡを調光制御す
る機能を備えるようにしても良い。勿論この場合消灯状態から操作が開始されたときには
調光をアップする方向に、点灯状態から操作が開始された場合には調光をダウンする方向
に位相制御を行う。この位相制御状態では例えばモニタ装置１０の画面において例えば図
１５（ｂ）に示すように環状のグラフの弧状長を調光度合に応じて可変表示するようにし
ても良い。
【００５１】
またマイコン４１の内蔵時計を利用して半導体スイッチ素子ＳＷｘをタイマ制御するようにしても良い。この場合、例えばマイコン４１の制御の下で、モニタ装置１０に表示させている待ち受け画面からタイマ設定画面（図１６（ａ）参照）を切り換えることができるようにし、このタイマ設定画面で半導体スイッチ素子ＳＷｘをオンさせたい時刻或いはオフさせた時刻をモニタ画面に設けたタッチパネルの操作とＧＵＩによって設定できるようにし、このタイマ時刻設定画面でタイマ時刻が設定されると、マイコン４１は内蔵時計の時刻がタイマ時刻になると、半導体スイッチ素子ＳＷｘをオン又はオフさせる制御を行うことで、照明負荷ＬＡのタイマ制御を行うことができる。勿論プログラマブルタイマ機能を持つことで、所望の日時において、オン／オフすることが可能となる。また留守中において住人が恰も居るように照明負荷ＬＡをランダムにオン／オフする「居る振り」設定も行えるようにしても良い。
【００５２】
更に副親機Ｃ側にも設置する部屋の照明負荷ＬＡをオン／オフするためのスイッチには押釦スイッチの操作に呼応してマイコンが働き親機Ａと同様に半導体スイッチ（或いはリレー接点）を駆動する構成とするとともに、負荷状態の情報を親機Ａとの間で交換し、夫々が設置している部屋の照明負荷ＬＡの状態をモニタ装置１０で表示するようにすることで、親機Ａ或いは副親機Ｃで照明負荷Ａの状態を監視することもできる。また親機Ａではモニタ装置１０の画面に他の部屋に設置している副親機Ｃの半導体スイッチ（図示しないが便宜上親機Ａの半導体スイッチＳＷｘと同じ符号を付ける）ＳＷｘを操作する操作画面（図１６（ｂ））を表示させ、タッチパネルとＧＵＩとして表示されている操作釦とで副親機Ｃに設けてある半導体スイッチＳＷｘをオン／オフさせて副親機Ｃが設置されている部屋の照明負荷ＬＡ（図示しないが説明上符号ＬＡを付す）を操作ができるようにしても良い。また逆に副親機Ｃのモニタ装置１０（図示しないが説明上符号１０を付す）の画面上側から親機Ａに設けてある半導体スイッチＳＷｘを通じて親機Ａが設置されている部屋の照明負荷ＬＡに対する操作ができるようにしても良い。この場合モニタ装置１０の画面上で操作があったことをＧＵＩを通じて操作情報を取り込んだ夫々のマイコン４１（副親機Ｃのマイコンは図示しないが便宜上符号４０を付す）の処理の下親機Ａであれば副親機Ｃ宛に、副親機Ｃであれば親機Ａ宛に、操作情報を夫々信号線Ｌ１を介して送り夫々のマイコン４１の制御下で半導体スイッチＳＷｘを駆動することで、対応する照明負荷ＬＡを制御するのである。この照明負荷ＬＡの状態情報を親機Ａであれば副親機Ｃに、副親機Ｃであれば親機Ａへ送り、それぞれのモニタ装置１０の画面で相手側及び自己側の照明負荷ＬＡの状態を表示する。
【００５３】
このようにして本参考例では、親機Ａ、副親機Ｃでは、相手側部屋の照明負荷ＬＡの操
作と、その状態のモニタとが行えるのである。尚照明負荷ＬＡを位相制御して調光する場
合には調光度合の表示を行う。タイマ制御の場合にはタイマ制御中であることを表示する
。また親機Ａ、副親機Ｃにおいて、相手側部屋の照明負荷ＬＡのタイマ制御の設定をも行
えるようにしても良い。更に親機Ａ、副親機Ｃを設置している部屋の照明負荷ＬＡを一斉
にオン又はオフする操作も夫々のモニタ装置１０の画面（図１６（ｂ）参照）で表示した
操作釦できるようにしても良い。
【００５４】
また副親機Ｃを図１７に示すように複数台接続することができるシステムでは、夫々の副親機Ｃを識別できるようにして、親機Ａと任意の副親機Ｃとの間の内線通話、また副親機Ｃ同士の内線通話を可能とするとともに、親機Ａから副親機Ｃが設置されている部屋Ｒ２…の照明負荷ＬＡの操作や、副親機Ｃから親機Ａが設置されている部屋Ｒ１の照明負荷ＬＡの操作を可能とし、また親機Ａのモニタ装置１０及び各副親機Ｃのモニタ装置１０では、各部屋の照明負荷ＬＡの状態を図１６（ｃ）に示すよう各部屋Ｒ１…毎に設けた表示窓で表示するようにしている。勿論調光を行う場合には調光状態を部屋毎に図１５（ｂ）のようなグラフでモニタ装置１０の画面に表示する
また各部屋の照明負荷ＬＡの電力消費をコントロールするデマンドコントロールの管理に本システムを利用しても良い。
【００５５】
また、親機Ａ、副親機Ｃに例えば赤外光を用いたリモコン装置の受光部４４ａを図１８に示すように設け、この受光部４４ａでリモコン送信機４４ｂから受信されるリモコン信号をマイコン４１に取り込み、リモコン信号により送られくる操作データから上述の操作画面での操作時同様に照明負荷ＬＡの制御を行えるようにしても良い。この場合リモコン送信機４４ｂが親機Ａや副親機Ｃでのインターホン機能の操作用を兼ねることで、１台のリモコン送信機４４ｂで照明負荷ＬＡの遠隔操作とインタホーン機能の遠隔操作が行え、利便性の向上を図ることができる。
【００５６】
更に負荷操作のために電子スイッチからなるスイッチ器具単体を設ける場合には、動作
設定に必要な設定手段の操作部位をスペースが限られているスイッチ器具に設けていたた
め、操作部位が小さく設定操作がし難かったが、本参考例のようにインターホン側のモニ
タ装置１０を利用したＧＵＩにより設定手段を構成すれば、操作部位を大きくすることが
でき、設定操作が容易となる上に、より多彩で、高度な機能設定が可能となる。またスイ
ッチ器具側に必要であった設定手段を省略することができるため、スイッチ側の小型化や
コスト低減も図れる。
【００５７】
またリモコン送信機４４ｂを操作ハンドルとなるように薄型に形成し、通常時にはスイッチＳＷ０１の操作ハンドルとしてスイッチＳＷ０１の押釦に対向させて配置できる構成をインターホン本体（図示せず）側に設け、リモコン送信機４４ｂとして機能させる場合にはインターホン本体（図示せず）から取り外すことができるようにしても良い。
【００５８】
（参考例４）
本参考例は、親機Ａのマイコン４１に、図１９に示すように火災センサ４５ａや、防犯
センサ４５ｂ等の防犯／防災関連のセンサをインターフェース部４６を通じて接続する機
能を備え、センサからの検出信号が入力した場合に、マイコン４１の制御の下でスピーカ
ＳＰから警報音を発する他に、半導体スイッチＳＷｘを制御して照明負荷ＬＡ点滅（フラ
ッシュ）させる機能を備えるようにするようにしている。この場合、副親機Ｃを１台乃至
複数台接続している場合には、夫々の副親機Ｃにも半導体スイッチＳＷｘを制御して夫々
の設置場所の照明負荷ＬＡを点滅させる連携制御機能をも設けてある。
【００５９】
尚火災センサ４５ａの検出信号と、防犯センサ４５ｂの検出信号とを区別して、照明負荷ＬＡの点滅動作及びスピーカＳＰからの発報音を夫々の検出信号に応じて異ならせることで、住人が火災発生と不法侵入との識別が容易にできるようにしても良い。
【００６０】
尚その他の構成は、参考例２（及び参考例１）と同じであるので、親機Ａとしての回路
構成や構造の図示や説明を省略する。
【００６１】
ところで、上述の実施形態１，２ではスイッチ器具Ｓとインターホン本体１とを別体としているが、スイッチ器具Ｓの機構をインターホン体１に組み込んで親機Ａとスイッチ器具Ｓとの一体化を図っても良い。
【００６２】
また参考例１〜４では、スイッチ手段の押釦スイッチＳＷ０等の機構をインターホン本
体１に組み込んで一体化を図っているが、押釦スイッチＳＷ０の機構を別の筐体に組み込
んで別体構成としても良い。
【００６３】
更に実施形態１，２、並びに参考例１，２では負荷の開閉を機械的なスイッチで直接行
うものであったが、負荷の開閉を電子スイッチで行うようにしても良い。
【図面の簡単な説明】
【００６４】
【図１】実施形態１を示し、化粧板、操作ハンドル、化粧プレートを取り外した状態    で取付穴内のスイッチボックス前に配置した状態の一部省略せる斜視図である。
【図２】実施形態１に用いるスイッチボックスを取付穴内に埋設した状態の一部省略    せる斜視図である。
【図３】実施形態１を示し、化粧プレートを取り外した状態で取付穴内のスイッチボ    ックスに取り付けた状態の一部省略せる斜視図である。
【図４】実施形態１を示し、取付穴内のスイッチボックス前に配置した状態の取付状    態の一部省略せる斜視図である。
【図５】実施形態１の背面からみた斜視図である。
【図６】実施形態１に用いる化粧プレートの分解斜視図である。
【図７】実施形態１の配線図である。
【図８】実施形態１を用いたインターホンシステムの構成図である。
【図９】実施形態１に用いる親機の回路構成図である。
【図１０】実施形態２を示し、化粧板、操作ハンドル、化粧プレートを取り外した状    態で取付穴内のスイッチボックス前に配置した状態の一部省略せる斜視図である。
【図１１】参考例１の一例を示し、化粧板、操作ハンドル、化粧プレートを取り外し    た状態の斜視図である。
【図１２】参考例１の配線図である。
【図１３】参考例１の別の例を示し、化粧板、操作ハンドル、化粧プレートを取り外    した状態の斜視図である。
【図１４】参考例２に用いる親機の回路構成図である。
【図１５】（ａ）は参考例３の要部の回路図、（ｂ）は参考例３におけるモニタ表示    例図である。
【図１６】参考例３のモニタ表示例図である。
【図１７】参考例３を用いたインターホンシステムの構成図である。
【図１８】参考例３の親機の別の例の要部の回路構成図である。
【図１９】参考例４の親機の要部の回路構成図である。
【符号の説明】
【００６５】
１  インターホン本体
２  取付穴
３  駆動釦
４  取付枠
４ａ  取付枠部
４ｂ  取付枠部
４ｃ  係止孔
５  器体
７  軸部
９  取付孔
１０  モニタ装置
１１  音出孔
１２  操作ハンドル
１３  操作ハンドル
１４  操作ハンドル
１５  マイク用小孔
１６  音量調整用摘み
１７  明るさ調整用摘み
２３  凹平面
２４  切欠
２６  係止孔
２９  プレート用ねじ孔
Ａ  親機
Ｓ  スイッチ器具
【図１】
0004419938.tif 000002
【図２】
0004419938.tif 000003
【図３】
0004419938.tif 000004
【図４】
0004419938.tif 000005
【図５】
0004419938.tif 000006
【図６】
0004419938.tif 000007
【図７】
0004419938.tif 000008
【図８】
0004419938.tif 000009
【図９】
0004419938.tif 000010
【図１０】
0004419938.tif 000011
【図１１】
0004419938.tif 000012
【図１２】
0004419938.tif 000013
【図１３】
0004419938.tif 000014
【図１４】
0004419938.tif 000015
【図１５】
0004419938.tif 000016
【図１６】
0004419938.tif 000017
【図１７】
0004419938.tif 000018
【図１８】
0004419938.tif 000019
【図１９】
0004419938.tif 000020